(57)【要約】【課題】エレベーターの乗場から保守員を呼出すことが可能であり、且つ特定の条件下ではその呼出しを抑制できるエレベーター装置を提供する。【解決手段】エレベーター装置は、呼出しボタン２４、かご上判定部３１、走行判定部３２、位置判定部３３、及び呼出し部３６を備える。かご１の上に人がいることをかご上判定部３１が判定し且つかご１が走行していることを走行判定部３２が判定すると、第１判定条件が成立する。呼出し部３６は、呼出しボタン２４が押された際に第１判定条件が成立すると、かご１の位置がすれ違い範囲に含まれることを位置判定部３３が判定した場合は第２判定条件が成立した後に携帯端末４０を呼出す。【選択図】図２
2019156587.tif 000002
【特許請求の範囲】
【請求項１】
エレベーターのかごとつり合いおもりとが昇降路に吊り下げられたエレベーター装置であって、
前記かごが停止する乗場に設けられた呼出しボタンと、
前記かごの上に人がいるか否かを判定する第１判定手段と、
前記かごが走行しているか否かを判定する第２判定手段と、
前記かごの位置がすれ違い範囲に含まれるか否かを判定する第３判定手段と、
保守員が所有する携帯端末を呼出す呼出し手段と、
を備え、
前記すれ違い範囲に、前記かごが前記つり合いおもりと同じ高さになる位置が含まれ、
前記かごの上に人がいることを前記第１判定手段が判定し且つ前記かごが走行していることを前記第２判定手段が判定すると、第１判定条件が成立し、
前記呼出し手段は、前記呼出しボタンが押された際に前記第１判定条件が成立すると、前記かごの位置が前記すれ違い範囲に含まれないことを前記第３判定手段が判定した場合は前記携帯端末を呼出し、前記かごの位置が前記すれ違い範囲に含まれることを前記第３判定手段が判定した場合は、前記かごの位置が前記すれ違い範囲から外れたとみなすための第２判定条件が成立した後に前記携帯端末を呼出すエレベーター装置。
【請求項２】
前記第２判定条件は、前記かごの位置が前記すれ違い範囲に含まれないことを前記第３判定手段が判定することによって成立する請求項１に記載のエレベーター装置。
【請求項３】
前記第２判定条件は、前記かごの位置が前記すれ違い範囲に含まれることを前記第３判定手段が判定してから一定時間が経過することによって成立する請求項１に記載のエレベーター装置。
【請求項４】
前記かごのドアが閉まっているか否かを判定する第４判定手段を更に備え、
前記第１判定条件は、前記かごの上に人がいることを前記第１判定手段が判定し、前記かごが走行していることを前記第２判定手段が判定し、且つ前記かごのドアが閉まっていることを前記第４判定手段が判定することによって成立する請求項１から請求項３の何れか一項に記載のエレベーター装置。
【請求項５】
運転モードが手動モードであるか否かを判定する第５判定手段を更に備え、
前記第１判定条件は、前記かごの上に人がいることを前記第１判定手段が判定し、前記かごが走行していることを前記第２判定手段が判定し、且つ運転モードが手動モードであることを前記第５判定手段が判定することによって成立する請求項１から請求項３の何れか一項に記載のエレベーター装置。
【請求項６】
前記乗場に着脱可能な点検札を更に備え、
前記点検札には、現在点検中である旨が表記され、
前記呼出しボタンは、前記点検札に備えられた請求項１から請求項５の何れか一項に記載のエレベーター装置。
【請求項７】
前記点検札に備えられたスピーカーと、
前記呼出しボタンが押された際に、前記第１判定条件が成立し且つ前記かごの位置が前記すれ違い範囲に含まれることを前記第３判定手段が判定すると、呼出しを行っている旨の音声案内を前記スピーカーから出力させる報知制御手段と、
を更に備えた請求項６に記載のエレベーター装置。
【請求項８】
前記乗場に設けられた報知器と、
前記呼出しボタンが押された際に、前記第１判定条件が成立し且つ前記かごの位置が前記すれ違い範囲に含まれることを前記第３判定手段が判定すると、呼出しを行っている旨の案内を前記報知器から報知させる報知制御手段と、
を更に備えた請求項１から請求項５の何れか一項に記載のエレベーター装置。
【発明の詳細な説明】
【技術分野】
【０００１】
この発明は、エレベーター装置に関する。
【背景技術】
【０００２】
特許文献１に、エレベーター装置が記載されている。特許文献１に記載されたエレベーター装置は、通話連絡装置を備える。通話連絡装置の操作ボタンが押されると、通話連絡装置と保守員との間に連絡用の通話路が形成される。
【先行技術文献】
【特許文献】
【０００３】
【特許文献１】特開２００８−８７９１８号公報
【発明の概要】
【発明が解決しようとする課題】
【０００４】
特許文献１に記載されたエレベーター装置では、通話連絡装置の操作ボタンが押されると、保守員の作業状況に関わらず、通話連絡装置と保守員との間に連絡用の通話路が形成される。このため、保守員を呼出すべき状況ではない時にも呼出し音が鳴ってしまう。保守員が呼出し音に気をとられ、注意が散漫になる恐れがあった。
【０００５】
この発明は、上述のような課題を解決するためになされた。この発明の目的は、エレベーターの乗場から保守員を呼出すことが可能であり、且つ特定の条件下ではその呼出しを抑制できるエレベーター装置を提供することである。
【課題を解決するための手段】
【０００６】
この発明に係るエレベーター装置は、かごが停止する乗場に設けられた呼出しボタンと、かごの上に人がいるか否かを判定する第１判定手段と、かごが走行しているか否かを判定する第２判定手段と、かごの位置がすれ違い範囲に含まれるか否かを判定する第３判定手段と、保守員が所有する携帯端末を呼出す呼出し手段と、を備える。すれ違い範囲に、かごがつり合いおもりと同じ高さになる位置が含まれる。かごの上に人がいることを第１判定手段が判定し且つかごが走行していることを第２判定手段が判定すると、第１判定条件が成立する。呼出し手段は、呼出しボタンが押された際に第１判定条件が成立すると、かごの位置がすれ違い範囲に含まれないことを第３判定手段が判定した場合は携帯端末を呼出し、かごの位置がすれ違い範囲に含まれることを第３判定手段が判定した場合は、かごの位置がすれ違い範囲から外れたとみなすための第２判定条件が成立した後に携帯端末を呼出す。
【発明の効果】
【０００７】
この発明に係るエレベーター装置であれば、エレベーターの乗場から保守員を呼出すことが可能である。また、特定の条件下ではその呼出しを抑制することができる。
【図面の簡単な説明】
【０００８】
【図１】実施の形態１におけるエレベーター装置の例を示す図である。
【図２】図１に示すエレベーター装置の要部を示す図である。
【図３】点検札の他の取付け例を示す図である。
【図４】点検札の他の取付け例を示す図である。
【図５】監視装置の動作例を示すフローチャートである。
【図６】監視装置の他の動作例を示すフローチャートである。
【図７】監視装置の他の動作例を示すフローチャートである。
【図８】監視装置の他の動作例を示すフローチャートである。
【図９】監視装置のハードウェア資源の例を示す図である。
【図１０】監視装置のハードウェア資源の他の例を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、実施の形態１におけるエレベーター装置の例を示す図である。エレベーター装置は、例えばかご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。
【００１１】
主ロープ４は、巻上機５の駆動綱車６に巻き掛けられる。巻上機５は、制御装置７によって制御される。例えば、制御装置７は、駆動綱車６の回転及び停止を制御する。かご１は、駆動綱車６の回転に応じて移動する。かご１は、例えば乗場８の高さに合わせて停止する。制御装置７に、監視装置９が接続される。監視装置９は、例えば外部の監視センターと通信する。
【００１２】
調速機１０は、かご１の下降速度が基準速度を超えると、非常止め１１を動作させる。非常止め１１は、かご１に備えられる。非常止め１１が動作すると、かご１が強制的に停止される。調速機１０は、例えば調速ロープ１２、調速綱車１３、及び張り車１４を備える。調速ロープ１２は、かご１に連結される。調速ロープ１２は、調速綱車１３及び張り車１４に巻き掛けられる。かご１が移動すると、調速ロープ１２が移動する。調速ロープ１２が移動すると、調速綱車１３及び張り車１４が回転する。調速機１０は、調速綱車１３の回転信号を出力する。調速機１０から出力された回転信号は、制御装置７に入力される。
【００１３】
かご１は、例えばドア１５、ドアスイッチ１６、手摺装置１７、及び手摺スイッチ１８を備える。ドア１５は、かご１に形成された出入り口を開閉する。かご１がある乗場８に停止すると、ドア１５は、その乗場８に設けられたドア１９に対向する。ドアスイッチ１６は、ドア１５が全閉位置に配置されていることを検出する。ドア１５が全閉位置に配置されていれば、かご１に形成された出入り口は閉じられている。ドア１５が全閉位置に配置されていることをドアスイッチ１６が検出すると、ドアスイッチ１６は全閉信号を出力する。ドアスイッチ１６から出力された全閉信号は、制御装置７に入力される。
【００１４】
手摺装置１７は、かご室の上に折畳み可能に設けられる。手摺装置１７は、基本的に、折畳まれた状態でかご室の上に収納される。エレベーターの保守員は、かご１の上で保守作業を行うことがある。保守員は、かご１の上で保守作業を行う際に手摺装置１７を組み立てる。保守員は、手摺装置１７によって周囲が囲まれた空間で保守作業を行う。手摺スイッチ１８は、手摺装置１７が組み立てられたことを検出する。手摺装置１７が組み立てられたことを手摺スイッチ１８が検出すると、手摺スイッチ１８は組立て信号を出力する。手摺スイッチ１８から出力された組立て信号は、制御装置７に入力される。
【００１５】
図２は、図１に示すエレベーター装置の要部を示す図である。図２は、エレベーターの乗場８と監視装置９の具体例を示す。
【００１６】
ドア１９は、乗場８に形成された出入り口を開閉する。乗場８の出入り口は、乗場三方枠２０によって形成される。乗場三方枠２０の一方の縦柱２０ａに、乗場操作盤２１が設けられる。乗場操作盤２１は、例えば乗場ボタン２２を備える。乗場ボタン２２が押されると、乗場操作盤２１は、乗場ボタン２２が押されたことを示す乗場呼び信号を出力する。乗場操作盤２１から出力された乗場呼び信号は、制御装置７に入力される。
【００１７】
図２は、乗場８に点検札２３が設けられた例を示す。点検札２３は、例えば乗場三方枠２０の上枠２０ｂに磁石によって固定される。点検札２３は、乗場８に着脱可能である。点検札２３には、エレベーターが現在点検中である旨が表記される。点検札２３は、エレベーターの保守員が保守作業を行う際に保守員によって乗場８に取り付けられる。利用者は、点検札２３が乗場８に取り付けられていることにより、エレベーターが現在点検中であり、利用できないことを知ることができる。
【００１８】
点検札２３は、例えば呼出しボタン２４、及び送信部２５を備える。呼出しボタン２４は、乗場８にいる人が保守作業を行っている保守員を呼出すためのボタンである。送信部２５は、呼出しボタン２４が押されると、呼出し信号を監視装置９に送信する。図２は、送信部２５が呼出し信号を監視装置９に無線送信する例を示す。
【００１９】
点検札２３は、監視装置９に有線接続されても良い。図３は、点検札２３の他の取付け例を示す図である。図３に示す例では、点検札２３が上枠２０ｂの特定の位置に固定されると、点検札２３は乗場操作盤２１に有線接続される。送信部２５からの呼出し信号は、乗場操作盤２１及び制御装置７を経由して監視装置９に入力される。
【００２０】
図４は、点検札２３の他の取付け例を示す図である。図４に示す例では、図３に示す例と同様に、点検札２３が上枠２０ｂの特定の位置に固定されると、点検札２３は乗場操作盤２１に有線接続される。図４は、乗場８の上枠２０ｂに、点検札２３を支えるための支持装置が設けられた例を示す。支持装置は、例えばマイクロスイッチ２６、及び支持片２７を備える。
【００２１】
例えば、マイクロスイッチ２６は、アクチュエータが上枠２０ｂの下面から突出するように配置される。マイクロスイッチ２６のアクチュエータが下方から押されて内部接点が閉じると、支持片２７が図４のＡ方向に回転する。図４の符号２７ａは、マイクロスイッチ２６のアクチュエータが押されていない時の支持片２７の配置を示す。エレベーターの保守員は、保守作業を行う際に点検札２３の上部によってマイクロスイッチ２６のアクチュエータを下方から押す。これにより、点検札２３の上部が図４に示すように支持片２７によって両側から支持される。図４に示す状態では、点検札２３からの信号線が上枠２０ｂに設けられたコネクタ２８に接続されている。
【００２２】
図２に示すように、監視装置９は、例えば受信部３０、かご上判定部３１、走行判定部３２、位置判定部３３、及び呼出し部３６を備える。
【００２３】
受信部３０は、点検札２３の呼出しボタン２４が押されることによって送信される呼出し信号を受信する。
【００２４】
かご上判定部３１は、かご１の上に人がいるか否かを判定する。かご１の上に人がいることを判定する方法は、どのような方法でも良い。例えば、エレベーターの保守員は、かご１の上で保守作業を行う際に手摺装置１７を組み立てる。かご上判定部３１は、手摺スイッチ１８から組立て信号が出力されることによって、かご１の上に人がいることを判定しても良い。かご上判定部３１は、保守員がかご１の上で操作する他のボタンからの信号に基づいて、かご１の上に人がいることを判定しても良い。
【００２５】
走行判定部３２は、かご１が走行しているか否かを判定する。かご１が走行していることを判定する方法は、どのような方法でも良い。例えば、走行判定部３２は、調速機１０から出力された回転信号に基づいて、かご１が走行しているか否かを判定する。巻上機５が駆動綱車６の回転信号を出力する場合、走行判定部３２は、巻上機５からの回転信号に基づいてかご１が走行しているか否かを判定しても良い。
【００２６】
位置判定部３３は、かご１の位置がすれ違い範囲に含まれるか否かを判定する。本実施の形態において、かご１は昇降路３を上下に移動する。このため、かご１の位置はかご１の高さと同義である。かご１の位置は、例えば調速機１０から出力された回転信号に基づいて検出することができる。かご１の位置を検出する機能は、制御装置７が備えても良い。
【００２７】
すれ違い範囲は、かご１がつり合いおもり２と同じ高さになる位置を含む特定の範囲である。すれ違い範囲は、監視装置９或いは制御装置７に予め登録される。
【００２８】
呼出し部３６は、エレベーターの保守員が所有する携帯端末４０を呼出す。携帯端末４０を呼出すための情報は、監視装置９或いは制御装置７に予め登録される。
【００２９】
以下に、図５も参照し、本エレベーター装置が有する具体的な機能について説明する。図５は、監視装置９の動作例を示すフローチャートである。
【００３０】
エレベーターの保守員は、保守作業を行う際に、点検札２３を乗場８に取り付ける。利用者は、点検札２３が乗場８に取り付けられていることにより、エレベーターが現在点検中であり、利用できないことを知ることができる。
【００３１】
監視装置９は、受信部３０が点検札２３から呼出し信号を受信したか否かを判定する（Ｓ１０１）。例えば、車椅子を使用する利用者或いはその介助者は、点検札２３が乗場８に取付けられている時にエレベーターを利用したい場合、点検札２３の呼出しボタン２４を押す。これにより、送信部２５から呼出し信号が送信される。呼出し信号は、監視装置９の受信部３０によって受信される（Ｓ１０１のＹｅｓ）。
【００３２】
受信部３０が呼出し信号を受信すると、かご上判定部３１は、かご１の上に人がいるか否かを判定する（Ｓ１０２）。例えば、かご上判定部３１は、手摺スイッチ１８から組立て信号が出力されていなければ、かご１の上に人がいないことを判定する（Ｓ１０２のＮｏ）。かご１の上に人がいないことをかご上判定部３１が判定すると、呼出し部３６は携帯端末４０を呼出す（Ｓ１０５）。携帯端末４０では、呼出し部３６からの呼出しを受けると、例えば呼出し音を鳴らす。これにより、携帯端末４０を所有する保守員は、エレベーターを利用したい人がいることを保守作業中に知ることができる。
【００３３】
かご１の上に人がいることをかご上判定部３１がＳ１０２で判定すると、走行判定部３２は、かご１が走行しているか否かを判定する（Ｓ１０３）。例えば、走行判定部３２は、調速綱車１３が回転していなければ、かご１が停止していることを判定する（Ｓ１０３のＮｏ）。かご１が停止していることを走行判定部３２が判定すると、呼出し部３６は携帯端末４０を呼出す（Ｓ１０５）。
【００３４】
かご１が走行していることを走行判定部３２がＳ１０３で判定すると、位置判定部３３は、かご１の位置がすれ違い範囲に含まれるか否かを判定する（Ｓ１０４）。かご１の位置がすれ違い範囲に含まれないことを位置判定部３３が判定すると（Ｓ１０４のＮｏ）、呼出し部３６は携帯端末４０を呼出す（Ｓ１０５）。一方、かご１の位置がすれ違い範囲に含まれることを位置判定部３３が判定すると（Ｓ１０４のＹｅｓ）、呼出し部３６は、かご１の位置がすれ違い範囲に含まれないことを位置判定部３３が判定するまで携帯端末４０の呼出しを行わない。その後、かご１の位置がすれ違い範囲に含まれないことを位置判定部３３が判定すると、呼出し部３６は携帯端末４０を呼出す（Ｓ１０５）。
【００３５】
本実施の形態に示す例であれば、利用者は、保守作業を行っている保守員を乗場８から呼出すことができる。また、特定の条件下ではその呼出しを抑制することができる。即ち、かご１の上に人がいて且つかご１が走行している場合は、呼出しボタン２４が押されると、かご１の位置がすれ違い範囲に含まれるか否かが判定される。そして、かご１の位置がすれ違い範囲に含まれない場合は、保守員の呼出しが即座に行われる。一方、かご１の位置がすれ違い範囲に含まれる場合は、保守員の呼出しは即座には行われない。図５に示す例では、その後にかご１の位置がすれ違い範囲に含まれなくなったことを条件に、保守員の呼出しが行われる。
【００３６】
本実施の形態は、以下の例を示す。即ち、呼出しボタン２４が押された際に第１判定条件が成立すると、位置判定部３３による判定が行われる。そして、呼出し部３６は、かご１の位置がすれ違い範囲に含まれる場合は、第２判定条件が成立した後に携帯端末４０の呼出しを行う。
【００３７】
図５は、上記第１判定条件が、かご１の上に人がいることをかご上判定部３１が判定し且つかご１が走行していることを走行判定部３２が判定することによって成立する例を示す。なお、上記第２判定条件は、かご１の位置がすれ違い範囲から外れたとみなすための条件である。図５は、第２判定条件が、かご１の位置がすれ違い範囲に含まれないことを位置判定部３３が判定することによって成立する例を示す。以下に、本エレベーター装置が採用可能な他の例について説明する。
【００３８】
図６は、監視装置９の他の動作例を示すフローチャートである。図６は、図５に示す例と第２判定条件が異なる例を示す。図６のＳ２０１からＳ２０３に示す処理は、図５のＳ１０１からＳ１０３に示す処理と同様である。
【００３９】
かご１が走行していることを走行判定部３２がＳ２０３で判定すると、位置判定部３３は、かご１の位置がすれ違い範囲に含まれるか否かを判定する（Ｓ２０４）。かご１の位置がすれ違い範囲に含まれないことを位置判定部３３が判定すると（Ｓ２０４のＮｏ）、呼出し部３６は携帯端末４０を呼出す（Ｓ２０６）。一方、かご１の位置がすれ違い範囲に含まれることを位置判定部３３が判定すると（Ｓ２０４のＹｅｓ）、呼出し部３６は、Ｓ２０４の判定が行われてから一定時間が経過したか否かを判定する（Ｓ２０５）。呼出し部３６は、一定時間が経過したことをＳ２０５で判定するまで携帯端末４０の呼出しを行わない。その後、一定時間が経過したことをＳ２０５で判定すると、呼出し部３６は携帯端末４０を呼出す（Ｓ２０６）。
【００４０】
図６に示す例では、第２判定条件は、かご１の位置がすれ違い範囲に含まれることを位置判定部３３が判定してから一定時間が経過することによって成立する。即ち、呼出し部３６は、上記一定時間が経過することによって、かご１の位置がすれ違い範囲から外れたとみなし、携帯端末４０の呼出しを行う。
【００４１】
図７は、監視装置９の他の動作例を示すフローチャートである。図７は、図５に示す例と第１判定条件が異なる例を示す。
【００４２】
図７に示す例では、監視装置９は、ドア判定部３４を更に備える。ドア判定部３４は、かご１のドア１５が閉まっているか否かを判定する。かご１のドア１５が閉まっているか否かを判定する方法は、どのような方法でも良い。例えば、ドア判定部３４は、ドアスイッチ１６から全閉信号が出力されることによって、ドア１５が閉まっていることを判定しても良い。ドア判定部３４は、かご１等に設けられた他のセンサからの信号に基づいて、ドア１５が閉まっているか否かを判定しても良い。
【００４３】
図７のＳ３０１に示す処理は、図５のＳ１０１に示す処理と同様である。受信部３０が呼出し信号を受信すると、ドア判定部３４は、かご１のドア１５が閉まっているか否かを判定する（Ｓ３０２）。例えば、ドア判定部３４は、ドアスイッチ１６から全閉信号が出力されていなければ、ドア１５が閉まっていないことを判定する（Ｓ３０２のＮｏ）。ドア１５が閉まっていないことをドア判定部３４が判定すると、呼出し部３６は呼出しを行わない（Ｓ３０７）。
【００４４】
ドア１５が閉まっていることをドア判定部３４がＳ３０２で判定すると、かご上判定部３１は、かご１の上に人がいるか否かを判定する（Ｓ３０３）。図７のＳ３０３からＳ３０６に示す処理は、図５のＳ１０２からＳ１０５に示す処理と同様である。
【００４５】
図７に示す例では、第１判定条件は、図５に示す条件に加え、かご１のドア１５が閉まっていることをドア判定部３４が判定することによって成立する。図７に示す例では、第２判定条件が図６に示す例と同じであっても良い。
【００４６】
図８は、監視装置９の他の動作例を示すフローチャートである。図８は、図５に示す例と第１判定条件が異なる例を示す。
【００４７】
図８に示す例では、監視装置９は、モード判定部３５を更に備える。モード判定部３５は、エレベーターの運転モードが手動モードであるか否かを判定する。運転モードには、自動モードと手動モードとがある。自動モードは、登録された呼びにかご１を自動で応答させる運転モードである。手動モードは、保守員等が専用の機器で手動でかご１を移動させる運転モードである。モード判定部３５は、例えば制御装置７から入力される特定の信号に基づいて、運転モードが手動モードであるか否かを判定する。
【００４８】
図８のＳ４０１に示す処理は、図５のＳ１０１に示す処理と同様である。受信部３０が呼出し信号を受信すると、モード判定部３５は、運転モードが手動モードであるか否かを判定する（Ｓ４０２）。運転モードが手動モードではないことをモード判定部３５が判定すると、呼出し部３６は携帯端末４０を呼出す（Ｓ４０６）。
【００４９】
運転モードが手動モードであることをモード判定部３５がＳ４０２で判定すると、走行判定部３２は、かご１が走行しているか否かを判定する（Ｓ４０３）。図８のＳ４０３からＳ４０６に示す処理は、図５のＳ１０２からＳ１０５に示す処理と実質的に同様である。
【００５０】
図８に示す例では、第１判定条件は、図５に示す条件に加え、運転モードが手動モードであることをモード判定部３５が判定することによって成立する。図８に示す例では、第２判定条件が図６に示す例と同じであっても良い。
【００５１】
本実施の形態に示す例では、利用者がエレベーターの保守員を直接呼出すことができる。このため、利用者は、遠隔の監視センター等に連絡する必要はない。しかし、例えば、図５のＳ１０４でＹｅｓと判定されると、その後にＳ１０４でＮｏと判定されるまで呼出しは行われない。かかる場合、利用者は、呼出しボタン２４を押した後に何の反応もないため、その後すぐに呼出しが行われるにも関わらず、遠隔の監視センター等に連絡してしまう可能性がある。
【００５２】
このような事態を防止するため、点検札２３にスピーカーを更に備えても良い。かかる場合、監視装置９は、報知制御部３７を更に備える。報知制御部３７は、例えば点検札２３に備えられたスピーカーを制御する。報知制御部３７は、呼出しボタン２４が押された際に、上記第１判定条件が成立し且つかご１の位置がすれ違い範囲に含まれることを位置判定部３３が判定すると、呼出しを行っている旨の音声案内をスピーカーから出力させる。例えば、報知制御部３７は、Ｓ１０４でＹｅｓの判定がなされると、呼出しを行っている旨の音声案内をスピーカーから出力させる。
【００５３】
報知制御部３７は、乗場８に設けられた報知器（図示せず）を制御しても良い。上記報知器は、例えば、表示器、或いはスピーカーである。かかる場合、報知制御部３７は、呼出しボタン２４が押された際に、上記第１判定条件が成立し且つかご１の位置がすれ違い範囲に含まれることを位置判定部３３が判定すると、呼出しを行っている旨の案内を上記報知器から報知させる。
【００５４】
本実施の形態では、呼出しボタン２４が点検札２３に備えられる例について説明した。
これは一例である。呼出しボタン２４は、例えば乗場操作盤２１に備えられても良い。
【００５５】
本実施の形態では、監視装置９が携帯端末４０の呼出しのみを行う例について説明した。これは一例である。点検札２３或いは乗場８に、インターホン機能を備えても良い。即ち、点検札２３或いは乗場８に、マイクとスピーカーとを備えても良い。かかる場合は、保守員の呼出しが行われた後に、保守員と利用者とが直接会話することができる。
【００５６】
本実施の形態において、符号３０〜３７に示す各部は、監視装置９が有する機能を示す。図９は、監視装置９のハードウェア資源の例を示す図である。監視装置９は、ハードウェア資源として、例えばプロセッサ４２とメモリ４３とを含む処理回路４１を備える。監視装置９は、メモリ４３に記憶されたプログラムをプロセッサ４２によって実行することにより、符号３０〜３７に示す各部の機能を実現する。
【００５７】
プロセッサ４２は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ４３として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００５８】
図１０は、監視装置９のハードウェア資源の他の例を示す図である。図１０に示す例では、監視装置９は、例えばプロセッサ４２、メモリ４３、及び専用ハードウェア４４を含む処理回路４１を備える。図１０は、監視装置９が有する機能の一部を専用ハードウェア４４によって実現する例を示す。監視装置９が有する機能の全部を専用ハードウェア４４によって実現しても良い。専用ハードウェア４４として、単一回路、複合回路、プログラム化したプロセッサ、並列プログラム化したプロセッサ、ＡＳＩＣ、ＦＰＧＡ、又はこれらの組み合わせを採用できる。
【００５９】
監視装置９が有する機能の全部又は一部を制御装置７が備えても良い。
【符号の説明】
【００６０】
１  かご、  ２  つり合いおもり、  ３  昇降路、  ４  主ロープ、  ５  巻上機、  ６  駆動綱車、  ７  制御装置、  ８  乗場、  ９  監視装置、  １０  調速機、  １１  非常止め、  １２  調速ロープ、  １３  調速綱車、  １４  及び張り車、  １５  ドア、  １６  ドアスイッチ、  １７  手摺装置、  １８  手摺スイッチ、  １９  ドア、  ２０  乗場三方枠、  ２０ａ  縦柱、  ２０ｂ  上枠、  ２１  乗場操作盤、  ２２  乗場ボタン、  ２３  点検札、  ２４  呼出しボタン、  ２５  送信部、  ２６  マイクロスイッチ、  ２７  支持片、  ２８  コネクタ、  ３０  受信部、  ３１  かご上判定部、  ３２  走行判定部、  ３３  位置判定部、  ３４  ドア判定部、  ３５  モード判定部、  ３６  呼出し部、  ３７  報知制御部、  ４０  携帯端末、  ４１  処理回路、  ４２  プロセッサ、  ４３  メモリ、  ４４  専用ハードウェア
【図１】
2019156587.tif 000003
【図２】
2019156587.tif 000004
【図３】
2019156587.tif 000005
【図４】
2019156587.tif 000006
【図５】
2019156587.tif 000007
【図６】
2019156587.tif 000008
【図７】
2019156587.tif 000009
【図８】
2019156587.tif 000010
【図９】
2019156587.tif 000011
【図１０】
2019156587.tif 000012